(57)【要約】【課題】解像度に応じて共用可能に構成できるマルチビーム印字装置を提供する。【解決手段】このマルチビーム印字装置は、印字のために副走査方向に配列した複数のビーム発光部と、前記複数のビーム発光部に画像信号を供給するために複数のチャネルに対して画像処理を行う画像処理部と、前記画像処理部から前記複数のビーム発光部への画像信号の分配を切り替える切替部と、受信した画像信号の前記画像処理部への分配を切り替える第２切替部と、とを備え、印字画像の解像度が変更された場合に、前記切替部によって前記複数のビーム発光部への画像信号の分配方法を変更すると共に、前記第２切替部によって受信画像信号の分配を切り替えるものである。【選択図】図１
2009226700.tif 000002
【特許請求の範囲】
【請求項１】
印字のために副走査方向に配列した複数のビーム発光部と、前記複数のビーム発光部に画像信号を供給するために複数のチャネルに対して画像処理を行う画像処理部と、前記画像処理部から前記複数のビーム発光部への画像信号の分配を切り替える切替部と、を備え、印字画像の解像度が変更された場合に、前記切替部によって前記複数のビーム発光部への画像信号の分配方法を変更することを特徴とするマルチビーム印字装置。
【請求項２】
請求項１に記載のマルチビーム印字装置において、前記印字画像の解像度が、基準となる解像度と、その半分の解像度とで切り替えられ、半分の解像度の場合には、前記複数のビーム発光部を副走査方向の一つおきに発光禁止とし、前記画像処理部からの画像信号が発光許可されたビーム発光部に供給されるように前記切替部が切り替えられることを特徴とするマルチビーム印字装置。
【請求項３】
請求項１に記載のマルチビーム印字装置において、前記印字画像の解像度が、基準となる解像度と、その半分の解像度とで切り替えられ、半分の解像度の場合には、副走査方向に隣接するビーム発光部には同じ画像信号が供給されるように、前記切替部が切り替えられることを特徴とするマルチビーム印字装置。
【請求項４】
印字のために副走査方向に配列した複数のビーム発光部と、前記複数のビーム発光部に画像信号を供給するために複数のチャネルに対して画像処理を行う画像処理部と、前記画像処理部から前記複数のビーム発光部への画像信号の分配を切り替える切替部と、受信した画像信号の前記画像処理部への分配を切り替える第２切替部と、とを備え、印字画像の解像度が変更された場合に、前記切替部によって前記複数のビーム発光部への画像信号の分配方法を変更すると共に、前記第２切替部によって受信画像信号の分配を切り替えることを特徴とするマルチビーム印字装置。
【請求項５】
請求項４に記載のマルチビーム印字装置において、前記印字画像の解像度が、基準となる解像度と、その半分の解像度とで切り替えられ、半分の解像度の場合には、前記受信した画像信号が、前記切替部で選択されたチャネルに選択的に供給されるように、前記第２切替部が切り替えられることを特徴とするマルチビーム印字装置。
【発明の詳細な説明】
【技術分野】
【０００１】
本発明は、複数のレーザを用いて一度の走査で複数のラインデータを印字するマルチビーム印字装置に関する。
【背景技術】
【０００２】
複写機やプリンタではＬＳＵ（Laser Scanning Unit）と呼ばれるレーザを用いた走査装置により印字を行っている。このＬＳＵは、複数の反射面を持つポリゴンミラーをモータで回転させ、ポリゴンミラーでレーザ光を反射、走査させて印字を行う。
しかし、印字解像度や印字速度を上げると、モータの回転速度を上げたり、レーザ光のオン、オフ速度を上げる必要が出てくるため、モータやレーザおよびそれらを制御する回路の実現が困難になる。
【０００３】
このため、解像度や印字速度に応じて必要なレーザ光の本数（ビーム数）は変化するが、複数のレーザを用いて一度の走査で複数のラインデータを印字することにより、これらの課題を解決する方法が従来から提案されている（特許文献１）。
【０００４】
また、ＬＳＵの制御回路は、比較的規模が小さく、レーザを高速にオン／オフする際の信号波形の乱れ防止、ＬＳＵの各種回路を制御する信号のノイズによる影響防止、および、市場でユーザやサービスマンが触れる必要が無いこと等から、ＬＳＵ内に設けることが多い。
【０００５】
一方、スキャナ等からの画像データを処理する回路は、比較的規模が大きく、設置後の機能拡張等のために比較的操作しやすい位置に配置される。
このため、スキャナ画像等の処理回路からＬＳＵの制御回路までは、なるべく少ない信号本数で画像データを転送し、ＬＳＵの制御回路はなるべく回路規模を抑えることが望ましい。
【０００６】
さらに、近年では、プリンタ機能やコピー機能やファクシミリ機能を統合した複合機等を、ひとつのエンジンをベースに開発することが多く、複数種類の画像データを同じＬＳＵの制御回路で印字制御する必要がでてきている。
【０００７】
例えば、プリンタでは１２００ｄｐｉ（dot per inch）の解像度で印字を行うが、コピーではスキャナ部の性能の関係で６００ｄｐｉの解像度で印字を行う場合が発生する。
また、画像データによってはスキャナ画像等の処理回路を経由せずに送信される場合が発生するため、どのような画像源からの印字であっても、ＬＳＵの制御回路内で画像処理を実行する必要がある。但し、ＬＳＵ制御回路は、前述のようにＬＳＵ内に収める必要があるため、なるべく回路規模を抑える必要がある。
【０００８】
近年では、上記のような制御回路はコスト等の関係からＩＣ化されるが、ＩＣ化には大きな初期費用が必要なため、解像度や印字速度が異なる種々の機種で共通使用できる必要があり、必然的に４ビーム、２ビーム、１ビームといった印字方法、すなわち光源数に対応することが必要になる。
【０００９】
また、印字をカラー化する場合には通常４色分の回路が必要となり、例えば２ビームの場合であれば、２ビーム×４色＝８回路分をＩＣに内蔵することが望ましいが、ＩＣの単価が高くなるために、例えば、ＩＣ内には４回路分を内蔵し、１２００ｄｐｉ・２ビームで印字する機種では２個のＩＣで構成（２ビーム×２色×２個）、４ビームで印字する機種では４個のＩＣで構成（４ビーム×１色×４個）することが可能な設計としておけば、ＩＣの個数増減で種々のビーム構成に対応することが可能となる。
【特許文献１】特開平１０−２６８２１４号公報
【発明の開示】
【発明が解決しようとする課題】
【００１０】
ところで、画像処理回路は、上記の１２００ｄｐｉ・４ビームでの動作時には、同時に副走査方向の４ライン分の画像データを処理する必要があるため、４ラインに対応した処理回路をＩＣ内に搭載しなければならない。
【００１１】
また、同じ構成で、６００ｄｐｉの画像を印字する場合には、発光部の副走査方向の間隔は１２００ｄｐｉに固定されているため、以下のいずれかの印字方法での対応が必要となる。
【００１２】
（１）４ビームの奇数番目の発光部のみ画像信号で印字し、偶数番目の発光部は消灯する（奇数番目の発光部の間隔は、６００ｄｐｉとなる。）。
この場合は、１番目と３番目のチャネルは画像信号が有効だが、２番目と４番目とは発光禁止のため、画像信号が無効となる。
【００１３】
（２）４ビームの１番目と２番目の発光部に同じ画像信号を供給し、また、３番目と４番目の発光部に同じ画像信号を供給する。
この場合は、１番目と２番目のチャネルは同じ画像信号となって、副走査に隣接するラインでの処理はできなくなる。３番目と４番目についても同様な結果となる。
【００１４】
上記のような印字方法とした場合、画像処理部の複数のチャネルで処理する実質的な画像信号は、１番目と３番目のチャネルを流れることになる。
【００１５】
また、解像度が変化した場合に隣接ライン処理を実行するには、以下のように解像度に応じて処理回路を複数構成しなければならない。
【００１６】
（３）１２００ｄｐｉの場合は、１、２、３、４番目のチャネルに対し、４ライン分の画像を扱う処理回路を必要とする。
（４）６００ｄｐｉの場合は、１、３番目のチャネルに対し、２ライン分の画像を扱う処理回路を必要とする。
【００１７】
しかし、２ビームで印字する機種用に２ビーム対応の画像処理部を内蔵した場合には、以下のような構成が必要となるので、２ビームと４ビームに対応しようとすると、上記の（３）と（４）の処理回路に加えて、以下の回路構成にも対応が必要となる。
【００１８】
（５）１２００ｄｐｉの場合は、１、２番目のチャネルと、３、４番目のチャネルのそれぞれに対し、２ライン分の画像を扱う処理回路が必要である。
（６）６００ｄｐｉの場合は、１番目のチャネルと３番目のチャネルのそれぞれに対し、１ライン分の画像を扱う処理回路が必要である。
【００１９】
上記の２ビームと４ビームの各解像度の構成を見れば、画像処理が扱うチャネルが異なるだけで、回路構成を同一とできるにもかかわらず、複数のモードに応じて回路を内蔵していることがわかる。
【００２０】
本発明は、上述のような実情を考慮してなされたものであって、ビーム数や解像度に応じて共用可能に構成できるマルチビーム印字装置を提供することを目的とする。
【課題を解決するための手段】
【００２１】
上記の課題を達成するために、本発明に係るマルチビーム印字装置は、次のいずれかの構成をとるようにしている。
第１の構成は、印字のために副走査方向に配列した複数のビーム発光部と、前記複数のビーム発光部に画像信号を供給するために複数のチャネルに対して画像処理を行う画像処理部と、前記画像処理部から前記複数のビーム発光部への画像信号の分配を切り替える切替部と、とを備え、印字画像の解像度が変更された場合に、前記切替部によって前記複数のビーム発光部への画像信号の分配方法を変更する。
【００２２】
第２の構成は、印字のために副走査方向に配列した複数のビーム発光部と、前記複数のビーム発光部に画像信号を供給するために複数のチャネルに対して画像処理を行う画像処理部と、前記画像処理部から前記複数のビーム発光部への画像信号の分配を切り替える切替部と、受信した画像信号の前記画像処理部への分配を切り替える第２切替部と、とを備え、印字画像の解像度が変更された場合に、前記切替部によって前記複数のビーム発光部への画像信号の分配方法を変更すると共に、前記第２切替部によって受信画像信号の分配を切り替えている。
【００２３】
さらに、前記印字画像の解像度が、基準となる解像度と、その半分の解像度とで切り替えられ、半分の解像度の場合には、前記受信した画像信号が、前記切替部で選択されたチャネルに選択的に供給されるように、前記第２切替部が切り替えられる。
これにより、半分の解像度でも基準となる解像度を処理する構成を共通して利用することができる。
【００２４】
さらに、次のいずれかの方法をとることによって、半分の解像度でも基準となる解像度を処理する構成を共通して利用することができる。
（１）前記複数のビーム発光部を副走査方向の一つおきに発光禁止とし、前記画像処理部からの画像信号が発光許可されたビーム発光部に供給されるように前記切替部が切り替えられる。
（２）副走査方向に隣接するビーム発光部には同じ画像信号が供給されるように、前記切替部が切り替えられる。
【発明の効果】
【００２５】
本発明によれば、ビーム数と解像度に応じて共用可能に構成できるので、複合機の開発コストや開発工数を抑えることができる。
【発明を実施するための最良の形態】
【００２６】
以下、図面を参照して、本発明のマルチビーム印字装置に係る好適な実施形態について説明する。
【００２７】
図１は、本発明を実施した白黒複合機の画像系概略ブロック図である。
本実施形態では、印字解像度が１２００ｄｐｉの画像データは、４ビームのレーザで印字し、印字解像度が６００ｄｐｉの画像データに対しては４ビーム中の２ビームずつで、同じ画像を印字する場合（上記の課題で説明した（２）の場合に相当する。）を例にして説明する。
【００２８】
ＩＣＵ（Image Control Unit：画像読取装置）部３は、スキャナ１やパソコン２から画像データを入力する。
スキャナ１で読み取られた原稿画像は、原稿読み取りセンサの関係で６００ｄｐｉの読取解像度で読み取られ、スキャナ処理５で同じ印字解像度で印字のための白黒画像データに変換される。
【００２９】
また、パソコン２から入力されたプリントのためのデータは、通常は１２００ｄｐｉの印字解像度で、プリンタ処理４で印字のための白黒画像データが生成される。ここで、印字時の指定によっては６００ｄｐｉの印字解像度で画像が生成される場合もある。
スキャナ処理５とプリンタ処理４で生成された画像データは、入力モードに応じてスキャナ・プリンタ切替回路６で切り替えられ、ＬＳＵ制御部２１からの同期信号に合わせて、ラインごとにＬＳＵ制御部２１に送られる。
【００３０】
ＩＣＵ部３とＬＳＵ制御部２１との間には、４本の画像データライン−１〜画像データライン−４（７ａ〜７ｄ）が設けられ、同期信号８ａ，８ｂに同期して、ＩＣＵ部３からの画像データを各画像データラインに流して、それぞれ画像データバッファ−１〜画像データバッファ−４（それぞれ１０ａ〜１０ｄ）に格納する。この４つの画像データバッファからなる受信バッファ１０は、リングバッファ構成となっており、ＩＣＵ部３からの送信速度とは異なる速度で下流の回路に画像データを出力する。
【００３１】
ここで、同期信号８ａは、ＬＳＵ制御部２１からの水平同期信号である。また、同期信号８ｂは、ＩＣＵ部３が同期信号８ａにより画像データを送信開始するまでの遅延時間のばらつきの影響が出ないように、画像データ送信とともにＬＳＵ制御部２１に送信する同期信号である。
【００３２】
セレクタ部（第２切替部）１１は、セレクタ（ＳＥＬ）１１ａとセレクタ（ＳＥＬ）１１ｂとで構成されている。
画像データバッファ−１の出力は、セレクタ部１１をスルーする。
画像データバッファ−２の出力は、セレクタ（ＳＥＬ）１１ａに入力される。
画像データバッファ−３の出力は、セレクタ（ＳＥＬ）１１ａと１１ｂとに入力される。
画像データバッファ−４の出力は、セレクタ（ＳＥＬ）１１ｂに入力されるとともに、スルーして画像処理部１２に入力される。
このセレクタ部１１の選択制御については後述する。
【００３３】
画像処理部１２は、各ライン毎の画像処理を行うとともに、隣接ラインとの比較処理を行って、パターン生成部１３に出力される。ここで、隣接ライン処理の回路として、隣接２ラインの比較処理を行う画像処理回路１２ａ，１２ｂと、隣接４ラインの比較処理を行う画像処理回路１２ｃとが設けられている。
【００３４】
例えば、隣接４ラインの比較処理を行う画像処理回路１２ｃでは図２のように処理する。
図２では、１−１〜１−４は画像データライン−１を流れる画像データの各画素、２−１〜２−４は画像データライン−２を流れる画像データの各画素、というように４×４画素の範囲内の画像濃度値を示している。実際には、主走査方向には数千画素程度が連なるが、処理は注目する画素範囲で順次処理が行われる。
【００３５】
この例では、４×４画素範囲内の画素濃度値それぞれに、Ｗ１−１〜Ｗ４−４の予め設定されている値をかけてＲ１−１〜Ｒ４−４までの値を求め、さらにＲ１−１〜Ｒ４−４までの和Ｆを求めて、和Ｆの大小により使用するトナー量を予測するといった処理を行う。
【００３６】
また、隣接２ラインの比較処理を行う画像処理回路１２ａ，１２ｂでは図３のように処理する。
図３では、例えば、画像データライン−１を流れる各画素１−１〜１−５と画像データライン−２を流れる各画素２−１〜２−５に対し、図中の矢印の画素間で印字濃度の差分を計算し、差分が一定値以上の場合は注目画素（図３では画素１−３）の印字濃度を下げるといった処理を行う。これにより、画像のエッジ部分の濃度を下げる処理が行われる。
【００３７】
これら画像処理部１２の回路は、乗算や加算といった処理が必要なため、一般に回路規模が大きくなる傾向がある。
【００３８】
パターン生成部１３は、ＩＣＵ部３から流されてきた画像データに対応して格子パターンや斜め線といったパターン（図４）を生成して後段セレクタ部１４へ流す。
パターン生成部１３には、２ラインに対してパターンを発生するパターン生成回路１３ａ，１３ｂと、４ラインに対してパターンを発生するパターン生成回路１３ｃとを設けている。
【００３９】
後段セレクタ部（切替部）１４は、各画像データライン上の画像データを次のように選択制御して、ＬＤ制御部１５に出力する。
画像データライン−１上の画像データは、後段セレクタ部１４をスルーしてＬＤ制御部１５に出力されるとともに、セレクタ１４ａに出力される。
画像データライン−２上の画像データは、セレクタ１４ａ、セレクタ１４ｂ、セレクタ１４ｃに出力される。
画像データライン−３上の画像データは、セレクタ１４ｂ、セレクタ１４ｃに出力される。
画像データライン−４上の画像データは、セレクタ１４ｃに出力される。
これらの各セレクタ１４ａ〜セレクタ１４ｃにおける選択制御については後述する。
【００４０】
ＬＤ制御部１５は、後段セレクタ部１４からの画像データに応じてレーザをオン、オフ制御するための駆動信号を生成し、レーザ部１６を駆動する。
レーザ部１６は、４個の発光部ＬＤ−１〜ＬＤ−４（１６ａ〜１６ｄ）が設けられており、各発光部ＬＤ−１〜ＬＤ−４（１６ａ〜１６ｄ）から射出されたビームは、複数の光学系１７と、ポリゴンミラー３０で反射、屈折されて感光体１８上に照射され、静電潜像を形成する（図５）。
【００４１】
白黒複合機で使用している半導体レーザは、４つの発光部がひとつにまとめられたものを使用しており、その発光部のピッチは、感光体を照射した場合に理想的なピッチとはならないため、図６のように回転角をつけることにより副走査方向のピッチを希望する解像度のピッチに合わせている。図６の２５ａ〜２５ｄは、発光部ＬＤ−１〜ＬＤ−４のビームが感光体１８上に照射された場合の照射形状を示しており、本実施形態では、副走査ピッチは１２００ｄｐｉの１ライン分、すなわち、約２１.２μmとなるように調整されており、ピッチの変更はできない。
【００４２】
したがって、１２００ｄｐｉで印字する場合は、全発光部ＬＤ−１〜ＬＤ−４を使用するが、６００ｄｐｉで印字する場合には、発光部ＬＤ−１とＬＤ−３だけで印字するか、あるいは発光部ＬＤ−１とＬＤ−２は同じ画像データでの印字、発光部ＬＤ−３とＬＤ−４も同じ画像データでの印字とするか、いずれかの方法を取ることになる。図７は、２６ａ、２６ｂが２ビームレーザにより照射された場合の照射形状を示している。
【００４３】
感光体１８にかからない領域に、走査の開始タイミングを検出するためのＢＤセンサ１９が設けられており、発光部ＬＤ−１のビームが入射するとＬｏｗ信号を出力し、１走査ごとの同期信号としてタイミング生成部２０に入力され、これを印字開始タイミング基準として上記各回路が１走査分の動作を行うとともに、ＩＣＵ部３への同期信号８ｂが生成される。
【００４４】
次に、上記のセレクタ部１１および後段セレクタ部１４の選択制御について説明する。この後段セレクタ部１４の選択制御は、セレクタ部１１の選択制御に応じて行われる。
【００４５】
（Ａ）４ビームＬＳＵ制御部で１２００ｄｐｉ動作時：
４ライン分の画像データを各画像データラインに同時に流し、セレクタ部１１においては、セレクタ１１ａでは、画像データライン−２を選択し、セレクタ１１ｂでは、画像データライン−３を選択するように選択制御する。
【００４６】
次に、後段セレクタ部１４では、各画像データラインの画像データをそのままＬＤ制御１５ａ〜１５ｄに流れるように選択制御する。
即ち、セレクタ１４−ａでは画像データライン−２を選択し、セレクタ１４ｂでは画像データライン−３を選択し、セレクタ１４ｃでは画像データライン−４を選択するように制御される。
【００４７】
図８は、４ビームの白黒複合機で１２００ｄｐｉの画像データを印字する場合の、ＩＣＵ部３からの画像データの転送と、レーザによる印字のタイミング、および感光体１８上に形成される画像の構成を示したものである。
図中のＬ１、Ｌ２等は、それぞれ１ライン目、２ライン目等の画像データであることを示している。また、図中の同期信号は、同期信号の往復の差が非常に小さいため、両者をひとつの波形で代用している。
【００４８】
同期信号に同期して、４ビーム分の画像データがＩＣＵ部３から転送され、画像データバッファ−１〜画像データバッファ−４への書込みが同時に実施される(図８中の４０)。
画像データバッファからは、ＢＤ信号に同期して同時に画像データが読み出され(図８中の４１)、ＬＤ制御部１５に出力される(図８中の４２)。
【００４９】
（Ｂ）４ビームＬＳＵ制御部で６００ｄｐｉ動作時：
２ライン分の画像を画像データライン−１、画像データライン−３に同時に流し、セレクタ部１１においては、セレクタ１１ａでは、画像データライン−３を選択して画像データライン−２へ流す。
【００５０】
画像処理部１２では、画像データライン−１および画像データライン−２の画像データを用いて隣接２ライン処理１２ａを動作させる。
パターン生成部１３では、２ライン処理１３ａが２ライン分のパターンデータを生成して画像データライン−１と画像データライン−２に流す。
【００５１】
後段セレクタ部１４は、セレクタ１４ａが画像データライン−１の画像データを選択し、セレクタ１４ｂおよびセレクタ１４ｃが画像データライン−２の画像データを選択するように制御する。
【００５２】
図９は、４ビームの白黒複合機で６００ｄｐｉの画像データを印字する場合の、ＩＣＵ部３からの画像データの転送と、レーザによる印字のタイミング、および感光体１８上に形成される画像の構成を示したものである。図中の点線は、同じ画像データを流すか、あるいは、発光部を消灯とするが可能であることを示している。
【００５３】
同期信号に同期して、２ビーム分の画像データがＩＣＵ部３から転送され、画像データバッファ−１と画像データバッファ−３への書込みが同時に実施される(図９中の４０)。
画像データバッファからは、ＢＤ信号に同期して同時に画像データが読み出され(図９中の４１)、ＬＤ制御部１５に出力される(図９中の４２)。
【００５４】
（Ｃ）２ビームＬＳＵ制御部で１２００ｄｐｉ動作時：
この構成では、最大でも２ビームでの印字となるため、画像処理部１２とパターン生成部１３は、いずれも２ライン処理用の回路(１２ａ、１２ｂ、１３ａ、１３ｂ)を使用し、４ライン用の回路(１２ｃ、１３ｃ)は使用しない。
【００５５】
２ライン分の画像データを画像データライン−１、画像データライン−２に同時に流し、セレクタ１１ａが画像データライン−２を選択する。
画像処理部１２では、画像データライン−１および画像データライン−２の画像データを用いて隣接２ライン処理１２ａを動作させる。
パターン生成部１３では、２ライン処理１３ａが２ライン分のパターンデータを生成して画像データライン−１と画像データライン−２に流す。
後段セレクタ部１４は、セレクタ１４ａが画像データライン−２の画像データを選択するように制御する。
【００５６】
図１０は、２ビームの白黒複合機で１２００ｄｐｉの画像データを印字する場合の、ＩＣＵ部３からの画像データの転送と、レーザによる印字のタイミング、および感光体１８上に形成される画像の構成を示したものである。
【００５７】
同期信号に同期して、２ビーム分の画像データがＩＣＵ部３から転送され、画像データバッファ−１〜画像データバッファ−２への書込みが同時に実施される(図１０中の４０)。
画像データバッファからは、ＢＤ信号に同期して同時に画像データが読み出され(図１０中の４１)、ＬＤ制御部１５に出力される(図１０中の４２)。
【００５８】
また、上述の実施形態では、印字解像度が６００ｄｐｉの画像データに対しては、４ビーム中の２ビームずつで同じ画像を印字する場合を例にして説明したが、偶数番目の発光部を消灯しても（上記の課題で説明した（１）の場合に相当する。）、上述の実施形態と同じ効果を得ることができる。
【００５９】
図１１は、本発明を偶数番目の発光部を消灯するように構成したときの白黒複合機の画像系概略ブロック図である。図１１において、図１と同じ部分については同じ符号を付し、その説明を省略する。
【００６０】
ＬＤ禁止制御部２２は、ＬＤ制御部１５ｂと１５ｄに対して、発光禁止したい場合に信号を出力し、発光部ＬＤ−２、ＬＤ−４が発光しないように制御する。
上述の例では、１２００ｄｐｉ・４ビーム印字の場合は、すべての発光部ＬＤ−１〜ＬＤ−４は発光許可状態となり、６００ｄｐｉ・２ビーム印字にモードを切り替えた場合には、上記発光禁止信号が出され、発光部ＬＤ−２、ＬＤ−４は点灯しない。このとき、セレクタ１４ａ、１４ｄが何らかの画像信号を選択していても、レーザが発光しないため印字は行われず、副走査方向の印字は６００ｄｐｉのピッチで行われる。
【００６１】
次に、本発明を実施した場合と、実施しない場合の差異について述べる。
図１２は、本発明を実施しない場合の白黒複合機の画像系概略ブロック図である。図１と同じ構成には同じ符号をつけて説明を省略する。
【００６２】
図１２において、ＩＣＵ部３から画像データを転送して印字する場合、ＬＤ−１〜ＬＤ−４と画像データライン−１〜画像データライン−４の各ラインの接続は固定されているため、４ビームＬＳＵ制御部で６００ｄｐｉ動作時には、２ライン分の画像データを画像データライン−１、画像データライン−３に同時に流すため、画像処理部１２では、これらの２ラインを処理するために、画像処理回路（隣接２ライン処理）１２ｄが必要になってくる。
【００６３】
また、パターン生成部１３においても画像処理部１２と同様に、２ライン分のパターンデータを同時に生成し、画像データライン−１と画像データライン−３のみに(あるいは１ライン分を画像データライン−１と画像データライン−２、他のライン分を画像データライン−３と画像データライン−４に)流すパターン生成回路１３ｄが必要になってくる。
【００６４】
その他の４ビームＬＳＵ制御部で１２００ｄｐｉ動作時および２ビームＬＳＵ制御部で１２００ｄｐｉ動作時では、回路の追加はない。
【００６５】
したがって、本発明を実施しない場合には、図１に対してセレクタ部１１と後段セレクタ部１４がなくなり、画像処理回路(隣接２ライン処理)１２ｄと、パターン生成回路(２ライン処理)１３ｄが追加されることになる。
これに対して、本発明を実施した場合には、画像処理回路(隣接２ライン処理)１２ｄよりも回路規模が小さいセレクタ部１１が設けられ、さらに、パターン生成回路(２ライン処理)１３ｄよりも回路規模が小さい後段セレクタ部１４を設けるので、本発明を実施しない場合よりも回路規模が小さくなる。
【００６６】
また、本発明をカラー複合機に適用する場合には、図１で使用したＬＳＵ制御部２１を２個使用して、レーザ部は２ビームずつで構成して４色の印字を行う。
この構成では、最大でも２ビームでの印字となるため、画像処理部１２とパターン生成部１３はいずれも２ライン処理用の回路(１２ａ、１２ｂ、１３ａ、１３ｂ)を使用し、４ライン用の回路(１２ｃ、１３ｃ)は使用せず、ＢＤセンサ１９を各色共通に使用する。
【００６７】
以上のように実施形態を構成することによって、ＬＳＵ制御部(ＡＳＩＣ)が種々の機種で共通に使用でき、ＬＳＵ制御部の製造個数が増えるので単価が下る。
また、種々の機種での開発において、ＬＳＵ制御部を含むハードウェアやソフトウェアをも共通化できるので、開発工数と開発コストを低減できる。
【００６８】
尚、本発明は上述した実施形態に限定されず、本発明の要旨を逸脱しない範囲内で各種の変形、修正が可能であるのは勿論である。
【図面の簡単な説明】
【００６９】
【図１】本発明を実施した白黒複合機の画像系概略ブロック図である。
【図２】隣接４ビーム画像処理の処理例である。
【図３】隣接２ビーム画像処理の処理例である。
【図４】パターン生成部で生成するパターンの一例である。
【図５】ＬＳＵの光学系などの構造を示した図である。
【図６】４ビームレーザによる照射形状である。
【図７】２ビームレーザによる照射形状である。
【図８】４ビームの白黒複合機で１２００ｄｐｉの画像データを印字する場合のタイミング図である。
【図９】４ビームの白黒複合機で６００ｄｐｉの画像データを印字する場合のタイミング図である。
【図１０】２ビームの白黒複合機で１２００ｄｐｉの画像データを印字した場合のタイミング図である。
【図１１】偶数番目の発光部を消灯するように構成したときの白黒複合機の画像系概略ブロック図である。
【図１２】本発明を実施しない場合の白黒複合機の画像系概略ブロック図である。
【符号の説明】
【００７０】
１…スキャナ、２…パソコン、３…ＩＣＵ部、４…プリンタ処理、５…スキャナ処理、６…スキャナ・プリンタ切替回路、７ａ…画像データライン−１、７ｂ…画像データライン−２、７ｃ…画像データライン−３、７ｄ…画像データライン−４、８ａ，８ｂ…同期信号、１０…受信バッファ、１０ａ…画像データバッファ−１、１０ｂ…画像データバッファ−２、１０ｃ…画像データバッファ−３、１０ｄ…画像データバッファ−４、１１…セレクタ部（第２切替部）、１１ａ，１１ｂ…セレクタ、１２…画像処理部、１２ａ…画像処理回路（隣接２ライン処理）、１２ｂ…画像処理回路（隣接２ライン処理）、１２ｃ…画像処理回路（隣接４ライン処理）、１２ｄ…画像処理回路（隣接２ライン処理）、１３…パターン生成部、１３ａ…パターン生成回路（２ライン処理）、１３ｂ…パターン生成回路（２ライン処理）、１３ｃ…パターン生成回路（４ライン処理）、１３ｄ…パターン生成回路（２ライン処理）、１４…後段セレクタ部（切替部）、１４ａ、４ｂ，１４ｃ…セレクタ、１５…ＬＤ制御部、１５ａ，１５ｂ，１５ｃ，１５ｄ…ＬＤ制御、１６…レーザ部、１６ａ…発光部ＬＤ−１、１６ｂ…発光部ＬＤ−２、１６ｃ…発光部ＬＤ−３、１６−ｄ…発光部ＬＤ−４、１７…光学系、１８…感光体、１９…ＢＤセンサ、２０…タイミング生成部、２１…ＬＳＵ制御部、２２…ＬＤ禁止制御部、３０…ポリゴンミラー。
【図１】
2009226700.tif 000003
【図２】
2009226700.tif 000004
【図３】
2009226700.tif 000005
【図４】
2009226700.tif 000006
【図５】
2009226700.tif 000007
【図６】
2009226700.tif 000008
【図７】
2009226700.tif 000009
【図８】
2009226700.tif 000010
【図９】
2009226700.tif 000011
【図１０】
2009226700.tif 000012
【図１１】
2009226700.tif 000013
【図１２】
2009226700.tif 000014